(57)【要約】【課題】  特別な印刷装置を導入することなく、赤外光を入力光とするカメラペンで筆記するための文書を通常の印刷装置で安価に印刷することができるように変換するための電子文書変換方法を提供する。【解決手段】  第１の電子文書を、当該第１の電子文書に含まれる要素全ての色を印刷装置のカラー色材量に変換するとともに、所定のフォーマットを有する第２の電子文書に変換するステップと、上記第２の電子文書に固有な２次元パターンを生成するステップと、上記２次元パターンを印刷装置の黒色材量に変換し、上記第２の電子文書に重畳するステップとを含む。【選択図】  図３
2006293773.tif 000002
【特許請求の範囲】
【請求項１】
第１の電子文書を、当該第１の電子文書に含まれる要素全ての色を印刷装置のカラー色材量に変換するとともに、所定のフォーマットを有する第２の電子文書に変換するステップと、
上記第２の電子文書に固有な２次元パターンを生成するステップと、
上記２次元パターンを印刷装置の黒色材量に変換し、上記第２の電子文書に重畳するステップとを含むことを特徴とする電子文書変換方法。
【請求項２】
請求項１に記載の電子文書変換方法において、
上記２次元パターンを生成するステップは、
上記第２の電子文書に固有のＩＤを発行するステップと、
２次元的に上記ＩＤが符号化された２次元パターンを生成するステップとからなることを特徴とする電子文書変換方法。
【請求項３】
請求項１に記載の電子文書変換方法において、
上記２次元パターンを生成するステップは、
上記第２の電子文書に固有のＩＤを発行するステップと、
２次元的に上記ＩＤおよび上記第２の電子文書の座標が符号化された微小な２次元パターン単位を２次元的に配列するステップとからなることを特徴とする電子文書変換方法。
【請求項４】
請求項１乃至３のいずれか一項に記載の電子文書変換方法において、
上記２次元パターンを構成する要素は微小ドットであることを特徴とする電子文書変換方法。
【請求項５】
電子文書を、当該電子文書に含まれる要素全ての色を印刷装置のカラー色材量に変換するとともに、画像文書に変換するステップと、
上記画像文書に固有な２次元パターン画像を生成するステップと、
上記２次元パターン画像の色を印刷装置の黒色材量に変換し、上記画像文書に重畳するステップとを含むことを特徴とする電子文書変換方法。
【請求項６】
請求項５に記載の電子文書変換方法において、
上記２次元パターン画像を生成するステップは、
上記画像文書に固有のＩＤを発行するステップと、
２次元的に上記ＩＤが符号化された２次元パターン画像を生成するステップとからなることを特徴とする電子文書変換方法。
【請求項７】
請求項５に記載の電子文書変換方法において、
上記２次元パターン画像を生成するステップは、
上記画像文書に固有のＩＤを発行するステップと、
２次元的に上記ＩＤおよび上記画像文書の座標が符号化された微小な２次元パターン単位を２次元的に配列するステップとからなることを特徴とする電子文書変換方法。
【請求項８】
請求項５乃至７のいずれか一項に記載の電子文書変換方法において、
上記２次元パターン画像を構成する要素は微小ドットであることを特徴とする電子文書変換方法。
【請求項９】
請求項４または８のいずれか一項に記載の電子文書変換方法において、
上記微小ドットは、黒円オブジェクト、黒正方形オブジェクト、黒直線オブジェクト、文字のピリオドのいずれかであることを特徴とする電子文書変換方法。
【請求項１０】
請求項１または５のいずれか一項に記載の電子文書変換方法において、
上記２次元パターンおよび２次元パターン画像は、微小ドットを複数有する白黒２値画像であることを特徴とする電子文書変換方法。
【請求項１１】
請求項１乃至１０のいずれか一項に記載の電子文書変換方法において、
上記２次元パターン生成ステップは、
印刷装置の機種を取得する機種取得ステップを有し、該機種取得ステップで取得した印刷装置の機種に応じた大きさを有する微小ドットの集合である２次元パターンを生成することを特徴とする電子文書変換方法。
【発明の詳細な説明】
【技術分野】
【０００１】
本発明は、電子文書を印刷した紙文書への手書き入力装置による加筆を元の電子文書と関連付けるため、筆記対象となる紙文書の元文書となる電子文書から固有な２次元パターン等を含んだ印刷用の電子文書に変換する電子文書変換方法に関する。
【背景技術】
【０００２】
カメラが搭載されたペン（カメラペン）を用い、座標情報が埋め込まれた２次元パターンが文書内容とともに印刷された紙に筆記しつつ、カメラが紙の上の２次元パターンを撮像し、２次元パターンを読み取ることで紙の上の筆記をデジタル化してコンピュータに入力し、筆記対象の電子文書と関連付けて管理する技術がある。このような用途に用いる２次元パターンおよびその生成方法につき特許文献１に開示がある。
【０００３】
一方、近赤外吸収色素を用いた画像形成材料でコード（２次元パターン）が形成された情報表示媒体上に文書画像を形成する際に、コードを赤外吸収する色材で画像形成し、文書を赤外吸収しない色材で画像形成することで、コードの認識に影響しない画像形成方法および装置が特許文献２に開示されている。
【特許文献１】特開２００４−９４９０７号公報
【特許文献２】特開２００２−２４０３８７号公報
【発明の開示】
【発明が解決しようとする課題】
【０００４】
ところで、特許文献１に示される２次元パターンの上に文書を重畳させて紙に印刷した場合、白黒あるいはカラーいずれの印刷装置（プリンタ）で印刷しても文書によって２次元パターンが隠れてしまい、文書に加筆を行ってもカメラペンで撮像した画像から２次元パターンを読み取ることができず、当初の目的である加筆のコンピュータへの入力が達成できなくなる。この場合、カメラペンに搭載されたカメラは可視光カメラである。
【０００５】
一方、特許文献２には、カメラの照明に赤外光を使い、カメラには赤外の波長だけを入力させるようにするカメラペンシステムの記述がある。この場合、カメラペンで読み取る紙文書は、２次元パターンについては赤外領域を吸収するインク（顔料を含んだ黒、あるいは、赤外領域のみを吸収するステルスインク）で印刷され、文書については赤外領域を吸収しないインク（シアン、マゼンタ、イエロー）で印刷されている。この方式によれば、カメラは赤外光のみを入力光とするので、文書の文字や画像などにさえぎられることなく２次元コードを読むことができるようになり、上述した問題は解決される。
【０００６】
しかし、特許文献２に示される紙文書を作成する方法あるいは装置は印刷装置内部において実現されるものであり、印刷装置において２次元コードを受信して黒で印刷を行い、文書をカラーインクで印刷するという仕組みが必要である。したがって、ユーザはこの手書き入力システムを利用するためには特別な印刷装置と専用のソフトウェアが必要となり、コストがかかるという問題があった。
【０００７】
本発明は上記の従来の問題点に鑑み提案されたものであり、その目的とするところは、特別な印刷装置を導入することなく、赤外光を入力光とするカメラペンで筆記するための文書を通常の印刷装置で安価に印刷することができるように変換するための電子文書変換方法を提供することにある。
【課題を解決するための手段】
【０００８】
上記の課題を解決するため、本発明にあっては、請求項１に記載されるように、第１の電子文書を、当該第１の電子文書に含まれる要素全ての色を印刷装置のカラー色材量に変換するとともに、所定のフォーマットを有する第２の電子文書に変換するステップと、上記第２の電子文書に固有な２次元パターンを生成するステップと、上記２次元パターンを印刷装置の黒色材量に変換し、上記第２の電子文書に重畳するステップとを含む電子文書変換方法を要旨としている。
【０００９】
また、請求項２に記載されるように、請求項１に記載の電子文書変換方法において、上記２次元パターンを生成するステップは、上記第２の電子文書に固有のＩＤを発行するステップと、２次元的に上記ＩＤが符号化された２次元パターンを生成するステップとからなるものとすることができる。
【００１０】
また、請求項３に記載されるように、請求項１に記載の電子文書変換方法において、上記２次元パターンを生成するステップは、上記第２の電子文書に固有のＩＤを発行するステップと、２次元的に上記ＩＤおよび上記第２の電子文書の座標が符号化された微小な２次元パターン単位を２次元的に配列するステップとからなるものとすることができる。
【００１１】
また、請求項４に記載されるように、請求項１乃至３のいずれか一項に記載の電子文書変換方法において、上記２次元パターンを構成する要素は微小ドットであるものとすることができる。
【００１２】
また、請求項５に記載されるように、電子文書を、当該電子文書に含まれる要素全ての色を印刷装置のカラー色材量に変換するとともに、画像文書に変換するステップと、上記画像文書に固有な２次元パターン画像を生成するステップと、上記２次元パターン画像の色を印刷装置の黒色材量に変換し、上記画像文書に重畳するステップとを含むものとすることができる。
【００１３】
また、請求項６に記載されるように、請求項５に記載の電子文書変換方法において、上記２次元パターン画像を生成するステップは、上記画像文書に固有のＩＤを発行するステップと、２次元的に上記ＩＤが符号化された２次元パターン画像を生成するステップとからなるものとすることができる。
【００１４】
また、請求項７に記載されるように、請求項５に記載の電子文書変換方法において、上記２次元パターン画像を生成するステップは、上記画像文書に固有のＩＤを発行するステップと、２次元的に上記ＩＤおよび上記画像文書の座標が符号化された微小な２次元パターン単位を２次元的に配列するステップとからなるものとすることができる。
【００１５】
また、請求項８に記載されるように、請求項５乃至７のいずれか一項に記載の電子文書変換方法において、上記２次元パターン画像を構成する要素は微小ドットであるものとすることができる。
【００１６】
また、請求項９に記載されるように、請求項４または８のいずれか一項に記載の電子文書変換方法において、上記微小ドットは、黒円オブジェクト、黒正方形オブジェクト、黒直線オブジェクト、文字のピリオドのいずれかであるものとすることができる。
【００１７】
また、請求項１０に記載されるように、請求項１または５のいずれか一項に記載の電子文書変換方法において、上記２次元パターンおよび２次元パターン画像は、微小ドットを複数有する白黒２値画像であるものとすることができる。
【００１８】
また、請求項１１に記載されるように、請求項１乃至１０のいずれか一項に記載の電子文書変換方法において、上記２次元パターン生成ステップは、印刷装置の機種を取得する機種取得ステップを有し、該機種取得ステップで取得した印刷装置の機種に応じた大きさを有する微小ドットの集合である２次元パターンを生成するものとすることができる。
【発明の効果】
【００１９】
本発明の電子文書変換方法にあっては、特別な印刷装置を導入することなく、赤外光を入力光とするカメラペンで筆記するための文書を通常の印刷装置で安価に印刷することができるようになる。また、使用する印刷装置の機種に応じた最適な２次元パターンを提供することができる。
【発明を実施するための最良の形態】
【００２０】
以下、本発明の好適な実施形態につき図面を参照して説明する。
【００２１】
＜ハードウェア構成＞
図１は本発明の実施形態におけるシステム構成の例を示す図であり、ＬＡＮ（Local Area Network）、ＷＡＮ（Wide Area Network）等のネットワークＮ上にパーソナルコンピュータＰＣおよび印刷装置（画像形成装置）Ｐ１〜Ｐ３が接続された形態となっている。
【００２２】
図２は図１におけるパーソナルコンピュータＰＣのハードウェア構成の例を示す図であり、キーボード、マウス等の入力装置１０１と、ＬＣＤ（Liquid Crystal Display）、ＣＲＴ（Cathode Ray Tube）等の表示装置１０２と、記録媒体１０４の読み書きを行うドライブ装置１０３と、ハードディスク等の補助記憶装置１０５と、ＲＯＭ（Read Only Memory）、ＲＡＭ（Random Access Memory）等のメモリ装置１０６と、ＣＰＵ（Central Processing Unit）等の演算処理装置１０７と、外部機器とのインタフェースを行うインタフェース装置１０８とが、バス１０９を介して接続されて構成されている。
【００２３】
＜第１の実施形態＞
図３は本発明の第１の実施形態にかかる電子文書変換方法の処理を示すフローチャートであり、図４〜図６は図３における各ステップの詳細処理を示すフローチャートである。なお、これらの処理は、図１および図２に示したパーソナルコンピュータＰＣ内部において、メモリ装置１０６にロードされたコンピュータプログラムが演算処理装置１０７で実行されることにより実現されるものである。他の実施形態についても同様である。
【００２４】
図３において、第１の実施形態にかかる電子文書変換方法は、第１の電子文書を第２の電子文書に変換する文書変換ステップＳ１０１と、変換された第２の電子文書に固有な２次元パターンを生成する２次元パターン生成ステップＳ１０２と、生成された２次元パターンを第２の電子文書に重畳する２次元パターン重畳ステップＳ１０３とから構成される。
【００２５】
文書変換ステップＳ１０１において入力される第１の電子文書は、テキスト文書、スプレッドシート、グラフィック文書、プレゼンテーション文書、画像、ｗｅｂページ等、コンピュータディスプレイ上で表示可能な一般的な文書である。また、文書変換ステップＳ１０１で出力される第２の電子文書は、ここでは、テキスト、グラフィック、画像など、実体とともに色情報、大きさ、位置などメタデータを含んだオブジェクトの集合で構成される文書とする。例えば、Ｐｏｓｔｓｃｒｉｐｔ文書やＰＤＦ（Portable Document Format）文書などのフォーマットが利用できる。
【００２６】
図４は図３における文書変換ステップＳ１０１の詳細処理を示すフローチャートである。図４において、文書変換ステップＳ１０１は、色情報変換ステップＳ２０１と、フォーマット変換ステップＳ２０２と、未処理オブジェクト判断ステップＳ２０３とから構成される。
【００２７】
色情報変換ステップＳ２０１は、入力文書の各オブジェクトの色情報に対し、図７に示すような変換式あるいは変換テーブルを用いて色情報を印刷装置固有の色空間のカラー色材量に変換する。印刷装置固有の色空間のカラー色材量とは、通常の印刷装置はＣ（シアン）、Ｍ（マゼンタ）、Ｙ（イエロー）、Ｋ（ブラック）の４色の色材を用いており、そのうち、カラー色材はＣＭＹであって、カラー色材量はＣＭＹのトナー量であり、印刷文書の色濃度を決定するものである。このとき、Ｋはまったく使わないように色情報の変換を行う。フォーマット変換ステップＳ２０２は電子文書の各形式から所定のフォーマットの電子文書のオブジェクトへの変換を行う。未処理オブジェクト判断ステップＳ２０３は、電子文書に含まれるすべてのオブジェクトについて上記の処理を繰り返すために未処理オブジェクトがあるか否かを判断する。
【００２８】
図５は図３における２次元パターン生成ステップＳ１０２の詳細処理を示すフローチャートである。図５において、２次元パターン生成ステップＳ１０２は、固有ＩＤ取得ステップＳ３０１と、パターン生成方法取得ステップＳ３０２と、パターン生成ステップＳ３０３とから構成される。
【００２９】
固有ＩＤ取得ステップＳ３０１は、データベースに問い合わせ、使用されていない新規のＩＤ（番号）を取得する。図８はデータベースの例を示す図であり、固有ＩＤ、入力文書のパス、構造化電子文書のパス、ページ、構造化電子文書生成日、生成時刻を有する。固有ＩＤは自動的にユニークなＩＤが割り振られるように設定されており、新しいレコードを生成するときに割り当てられる。このＩＤは例えば３バイトのデータ幅を有する。
【００３０】
パターン生成方法取得ステップＳ３０２では、後述するあらかじめ設定されたパターン生成方法（黒円、黒正方形、黒直線、ピリオド、画像の５種の中の一つ）を取得する。
【００３１】
パターン生成ステップＳ３０３では、データベースから取得されたＩＤに基づいて２次元パターンを生成する。２次元パターンには、データベースから取得されたＩＤおよび電子文書の座標が符号化された微小ドットが含まれる。使用する２次元パターンおよびその生成手順は、前述した特許文献１に記載の方法を使用することができる。
【００３２】
以下、２次元パターンの生成方法について詳しく述べる。
【００３３】
２次元パターンは、例えば、所定の大きさの黒円が所定の間隔をおいて配置されるものであり、各黒円がひとつのオブジェクトとして生成される。例えば、Ｐｏｓｔｓｃｒｉｐｔによる黒円の記述としては、
X Y R AngleStart AngleEnd arc fill
となる。これは紙面上（X,Y）の位置に半径Ｒの角度AngleStartからAngleEndまでの円弧を描き（arc）、内部を塗りつぶす（fill）ことを意味する。もちろん、このオブジェクトの色は白黒二値の黒であらかじめ指定されている。なお、円を生成するためにAngleStart=0、AngleEnd=360となる。
【００３４】
また、黒円でなくとも黒の正方形、文字のピリオド（．）などを所定の大きさと位置に印刷されるように調整して記述してもよい。黒の正方形の場合にはＰｏｓｔｓｃｒｉｐｔでは、
X Y moveto
0 L rlineto
L 0 rlineto
0 -L rlineto
closepath
fill
と書く。これは、紙面上（X,Y）の位置から相対的に（0,L）、（L,0）、（0,-Ｌ）へ順次線を引き、closepathで図形を閉じる。つまり、一辺Ｌの正方形を描くことになる。そして、fillで内部を塗りつぶすというコマンドである。
【００３５】
また、直線を引くことで、正方形を描画することも可能である。この場合には、
L setlinewidth
X Y moveto
L 0 rlineto
stroke
と書く。線幅をＬと設定し、紙面上（X,Y）の位置に移動し、そこから、相対的に（L,0）へ線を引き、strokeで描画を行うというコマンドである。
【００３６】
また、文字のピリオド（．）を描く場合には、
/Arial findfont
Rf scalefont
setfont
X Y moveto
(.) show
と書く。Arialというフォントを指定し、フォントの大きさをRfに設定する。そして、紙面上（X,Y）の位置に移動し、ピリオド（．）を表示するというコマンドである。この場合、ピリオドの位置が正確に（X,Y）に表示されるとは限らないので、フォントを上記のように指定し、所定の位置に正確に表示されるようにα、βを補正値としてそれぞれＸ、Ｙに加算することが望ましい。
【００３７】
また、このように微小なオブジェクトを多数配置するような構成にしなくとも、白黒２値画像にしても良い。白黒２値画像の場合は例えば解像度６００ｄｐｉ、Ａ４サイズで、１ドットの黒を所定の位置に配置していけばよい。
【００３８】
以上のように微小ドットを表すのに複数の方式を説明したが、これら複数の方式を選択できるように設定しておき、実行環境毎に電子文書を変換する際の実行時間および各種印刷装置で印刷に要する時間を考慮して最も早く印刷できる最適な方法を採用すればよい。
【００３９】
次に、図６は図３における２次元パターン重畳ステップＳ１０３の詳細処理を示すフローチャートである。図６において、２次元パターン重畳ステップＳ１０３は、色情報変換ステップＳ４０１と、フォーマット変換ステップＳ４０２と、未処理オブジェクト判断ステップＳ４０３と、パターン重畳ステップＳ４０４とからなる。
【００４０】
色情報変換ステップＳ４０１は生成した２次元パターンの色情報を、４色の色材のうちＫ（ブラック）のみに変換する。フォーマット変換ステップＳ４０２は、生成した２次元パターンを所定のフォーマットに変換する。未処理オブジェクト判断ステップＳ４０３は２次元パターンに含まれるすべてのオブジェクトについて上記の処理を繰り返すために未処理オブジェクトがあるか否かを判断する。なお、２次元パターンをあらかじめ色情報がＫのみで所定のフォーマットで生成している場合には、色情報変換ステップＳ４０１、フォーマット変換ステップＳ４０２、未処理オブジェクト判断ステップＳ４０３を省略することができる。そして、パターン重畳ステップＳ４０４は、色情報およびフォーマットの変換後の２次元パターンを既に変換済の電子文書の上に重畳（電子文書中に挿入）する。なお、２次元パターンが画像の場合は、白の部分を透明化して他の電子文書に挿入するようにすべきである。
【００４１】
これにより、最終的に生成された電子文書を、この電子文書のフォーマットを理解できる印刷装置（例えばＰｏｓｔｓｃｒｉｐｔプリンタ）で印刷を行うと、２次元パターンは赤外光を吸収する黒で印刷され、２次元パターン以外の文書のオブジェクトは赤外光を吸収しないカラーで印刷される。このようにして印刷された紙文書は、ペン型座標入力装置（カメラペン）により加筆が行われ、加筆に際して２次元パターンが読み取られる。
【００４２】
図９はペン型座標入力装置１の構成例を示す図であり、円筒状の本体２に画像読取装置３が設けられており、本体２の先端部から内部にわたって筆記具４が設けられ、筆記具４の他端には筆圧を検出する圧力センサ５が設けられている。また、画像読取装置３には赤外光のみを通す光学系１１（光学系１１の紙面側に可視光を吸収して赤外光を透過させる赤外透過フィルタを装備）および赤外光に感度がある光電変換素子１２が設けられ、必要に応じて赤外光の投光装置が設けられる。本体２には、圧力センサ５および光電変換素子１２の信号を入力して処理を行うマイクロプロセッサ６が設けられており、筆記に同期して読み取った２次元パターンの情報は、アンテナ７を介して情報処理装置（図示せず）にワイヤレスで伝達されるようになっている。また、本体２にはＬＣＤ８、ＬＥＤ９、ブザー１０が設けられており、動作状態をユーザに報知するようになっている。
【００４３】
図１０は読み取り画像の例を示す図である。図１０（ａ）は比較のために可視光で読み取った場合の画像であるが、小さな多数の黒点で示される２次元パターンの他に文書の文字が撮像されている。これに対し、図１０（ｂ）は本発明による画像であるが、文書の文字は画像には表れず、２次元パターンしか撮像されない。従って、確実に２次元パターンを読み取ることが可能になる。
【００４４】
＜第２の実施形態＞
次に、図１１は本発明の第２の実施形態にかかる電子文書変換方法の処理を示すフローチャートであり、図１２〜図１４は図１１における各ステップの詳細処理を示すフローチャートである。この第２の実施形態では電子文書および２次元パターンを画像に統一するようにした点が前述した第１の実施形態と異なる。
【００４５】
図１１において、第２の実施形態にかかる電子文書変換方法は、電子文書を画像文書に変換する文書変換ステップＳ５０１と、変換された画像文書に固有な２次元パターン画像を生成する２次元パターン画像生成ステップＳ５０２と、生成された２次元パターン画像を画像文書に重畳する２次元パターン重畳ステップＳ５０３とから構成される。
【００４６】
文書変換ステップＳ５０１において入力される電子文書は、テキスト文書、スプレッドシート、グラフィック文書、プレゼンテーション文書、画像、ｗｅｂページ等、コンピュータディスプレイ上で表示可能な一般的な文書である。文書変換ステップＳ５０１で出力される画像文書は、いわゆる一般の画素単位で構成される画像のことで、解像度を例えば６００ｄｐｉあるいは１２００ｄｐｉとする。使用する画像フォーマットは例えばｔｉｆｆフォーマット、ＣＭＹＫ各８ビットの４カラー平面を持った画像である。
【００４７】
図１２は図１１における文書変換ステップＳ５０１の詳細処理を示すフローチャートである。図１２において、文書変換ステップＳ５０１は、色情報変換ステップＳ６０１と、オブジェクト画像化ステップＳ６０２と、未処理オブジェクト判断ステップＳ６０３とから構成される。
【００４８】
色情報変換ステップＳ６０１は、入力文書の各オブジェクトの色情報に対し、図７に示したような変換式あるいは変換テーブルを用いて色情報を印刷装置固有の色空間のカラー色材量に変換する。オブジェクト画像化ステップＳ６０２は電子文書の各オブジェクトから画像への変換を行う。未処理オブジェクト判断ステップＳ６０３は、電子文書に含まれるすべてのオブジェクトについて上記の処理を繰り返すために未処理オブジェクトがあるか否かを判断する。
【００４９】
図１３は図１１における２次元パターン画像生成ステップＳ５０２の詳細処理を示すフローチャートである。図１３において、２次元パターン画像生成ステップＳ５０２は、固有ＩＤ取得ステップＳ７０１と、パターン生成ステップＳ７０２とから構成される。
【００５０】
固有ＩＤ取得ステップＳ７０１は、データベースに問い合わせ、使用されていない新規のＩＤ（番号）を取得する。パターン生成ステップＳ７０２は、データベースから取得されたＩＤに基づいて２次元パターンを生成する。２次元パターンには、データベースから取得されたＩＤおよび画像文書の座標が符号化された微小ドットが含まれる。使用する２次元パターンおよびその生成手順は、前述した特許文献１に記載の方法を使用することができる。
【００５１】
２次元パターンは、パターンを重畳する他の画像文書にあわせ、例えば、解像度６００ｄｐｉ、水平画素数４９６０、垂直画素数７０１５、白黒１ビットの画像の中に、１画素の大きさの黒画素が所定の間隔をおいて配置されるものである。また、他の画像文書の解像度が１２００ｄｐｉであれば、２次元パターンは解像度１２００ｄｐｉ、水平画素数９９２０、垂直画素数１４０３０、白黒１ビットの画像の中に２ｘ２画素の大きさの黒画素が所定の間隔をおいて配置されている。
【００５２】
図１４は図１１における２次元パターン重畳ステップＳ５０３の詳細処理を示すフローチャートである。図１４において、２次元パターン重畳ステップＳ５０３は、色情報変換ステップＳ８０１と、パターン重畳ステップＳ８０２とから構成される。
【００５３】
色情報変換ステップＳ８０１は、２値画像である２次元パターン画像をグレースケールの画像に変換し、白を０、黒を２５５の値とする。なお、２次元パターン画像をあらかじめグレースケールの画像で生成している場合には、色情報変換ステップＳ８０１を省略することができる。そして、パターン重畳ステップＳ８０２は、グレースケール画像に変換した２次元パターン画像を既に変換済の画像文書のＫプレーン（ブラックの情報をもつ領域）に重畳する。既に変換済の画像文書では、Ｋプレーンの画素はすべて０の値を持ち、２次元パターン画像の画素値が２５５であるときに他の画像文書のＫプレーンの画素値を２５５に変更する。
【００５４】
これにより、最終的に生成されたＣＭＹＫプレーンを持つ画像文書を、ＣＭＹＫプレーンの値をそのまま出力することのできる印刷装置（例えばｐｏｓｔｓｃｒｉｐｔプリンタ）で印刷を行うと、２次元パターンは赤外光を吸収する黒で、２次元パターン以外のオブジェクトは赤外光を吸収しないカラーで印刷される。
【００５５】
＜第３の実施形態＞
次に、図１５は本発明の第３の実施形態にかかる電子文書変換方法における２次元パターン生成ステップの処理を示すフローチャートである。この第３の実施形態は、２次元パターンを構成する微小ドットの印刷能力に関して印刷装置によって性能差があることに鑑み、印刷装置によらず、かすれや抜けのない最適な状態で２次元パターンを印刷できるようにしたものである。すなわち、微小ドットの印刷時に、印刷に使用する印刷装置の機種情報を取得し、微小ドットの印刷に最適な印刷解像度および微小ドットの大きさを決定するようにしたものである。
【００５６】
図１５において、第３の実施形態にかかる２次元パターン生成ステップは、固有ＩＤ取得ステップＳ９０１と、プリンタ情報取得ステップＳ９０２と、パターン生成方法取得ステップＳ９０３と、パターン生成ステップＳ９０４とから構成される。なお、２次元パターン生成ステップの前後の処理としては、図３に示した文書変換ステップＳ１０１と２次元パターン重畳ステップＳ１０３と同じ処理が行われる。
【００５７】
固有ＩＤ取得ステップＳ９０１は、データベースに問い合わせ、使用されていない新規のＩＤ（番号）を取得する。プリンタ情報取得ステップＳ９０２は、印刷に使用する印刷装置の機種をプリンタドライバ内のプリンタ機種に関するプロパティあるいは実際に使用する印刷装置から直接その機種名を取得する。この機種名に応じて、微小ドットの印刷に最適な印刷解像度および微小ドットの大きさが決まる。図１６はプリンタ機種と２次元パターンの最適なドットの大きさおよび印刷解像度との関係の例を示す図であり、プリンタ機種により最適な黒ドットのサイズ（Ｒ、Ｌ、Ｒｆ）と解像度の組み合わせ例を示したものである。なお、オブジェクトで表した微小ドットを印刷する場合、解像度は印刷装置の印刷解像度を示し、ＰＤＬ（プリンタ記述言語）によって設定されるものである。また、微小ドットを白黒２値画像で表した場合の解像度は画像解像度と印刷装置の印刷解像度の両者を意味する。これらの情報をあらかじめ保持しておくことで、プリンタ機種から微小ドットの印刷に最適な印刷解像度および微小ドットの大きさが求められる。
【００５８】
次いで、パターン生成方法取得ステップＳ９０３は、取得したプリンタ機種および印刷解像度、微小ドットの大きさから、印刷に要する時間が最短となるパターン生成方法（黒円、黒正方形、黒直線、ピリオド、画像の５種の中のひとつ）を取得する。そして、パターン生成ステップＳ９０４は、決定されたパターン生成方法に基づいて２次元パターンを生成する。
【００５９】
このように、印刷装置とは別にソフトウェア的な処理により電子文書を変換するため、特別な印刷装置を導入することなく、赤外光を入力光とするカメラペンで筆記するための文書を通常の印刷装置で安価に印刷することができるようになる。また、使用する印刷装置の機種に応じた最適な２次元パターンを提供することができる。
【００６０】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００６１】
【図１】本発明の実施形態におけるシステム構成の例を示す図である。
【図２】パーソナルコンピュータのハードウェア構成の例を示す図である。
【図３】本発明の第１の実施形態にかかる電子文書変換方法の処理を示すフローチャートである。
【図４】図３における文書変換ステップの詳細処理を示すフローチャートである。
【図５】図３における２次元パターン生成ステップの詳細処理を示すフローチャートである。
【図６】図３における２次元パターン重畳ステップの詳細処理を示すフローチャートである。
【図７】色情報変換の例を示す図である。
【図８】データベースの例を示す図である。
【図９】ペン型座標入力装置の構成例を示す図である。
【図１０】読み取り画像の例を示す図である。
【図１１】本発明の第２の実施形態にかかる電子文書変換方法の処理を示すフローチャートである。
【図１２】図１１における文書変換ステップの詳細処理を示すフローチャートである。
【図１３】図１１における２次元パターン画像生成ステップの詳細処理を示すフローチャートである。
【図１４】図１１における２次元パターン重畳ステップの詳細処理を示すフローチャートである。
【図１５】本発明の第３の実施形態にかかる電子文書変換方法における２次元パターン生成ステップの処理を示すフローチャートである。
【図１６】プリンタ機種と２次元パターンの最適なドットの大きさおよび印刷解像度との関係の例を示す図である。
【符号の説明】
【００６２】
ＰＣ          パーソナルコンピュータ
Ｎ            ネットワーク
Ｐ１〜Ｐ３    印刷装置
Ｓ１０１      文書変換ステップ
Ｓ１０２      ２次元パターン生成ステップ
Ｓ１０３      ２次元パターン重畳ステップ
Ｓ２０１      色情報変換ステップ
Ｓ２０２      フォーマット変換ステップ
Ｓ２０３      未処理オブジェクト判断ステップ
Ｓ３０１      固有ＩＤ取得ステップ
Ｓ３０２      パターン生成方法取得ステップ
Ｓ３０３      パターン生成ステップ
Ｓ４０１      色情報変換ステップ
Ｓ４０２      フォーマット変換ステップ
Ｓ４０３      未処理オブジェクト判断ステップ
Ｓ４０４      パターン重畳ステップ
Ｓ５０１      文書変換ステップ
Ｓ５０２      ２次元パターン画像生成ステップ
Ｓ５０３      ２次元パターン重畳ステップ
Ｓ６０１      色情報変換ステップ
Ｓ６０２      オブジェクト画像化ステップ
Ｓ６０３      未処理オブジェクト判断ステップ
Ｓ７０１      固有ＩＤ取得ステップ
Ｓ７０２      パターン生成ステップ
Ｓ８０１      色情報変換ステップ
Ｓ８０２      パターン重畳ステップ
Ｓ９０１      固有ＩＤ取得ステップ
Ｓ９０２      プリンタ情報取得ステップ
Ｓ９０３      パターン生成方法取得ステップ
Ｓ９０４      パターン生成ステップ
【図１】
2006293773.tif 000003
【図２】
2006293773.tif 000004
【図３】
2006293773.tif 000005
【図４】
2006293773.tif 000006
【図５】
2006293773.tif 000007
【図６】
2006293773.tif 000008
【図７】
2006293773.tif 000009
【図８】
2006293773.tif 000010
【図９】
2006293773.tif 000011
【図１１】
2006293773.tif 000012
【図１２】
2006293773.tif 000013
【図１３】
2006293773.tif 000014
【図１４】
2006293773.tif 000015
【図１５】
2006293773.tif 000016
【図１６】
2006293773.tif 000017
【図１０】
2006293773.tif 000018